(57)【要約】【課題】偽造防止性を備えたラミネートカードタイプの情報表示体を提供することを課題とする。【解決手段】文字と図形と顔画像のいずれか１以上を含むＩＤ情報印刷部３と、モアレパターン形成用画像１と、を備えたシート基材５を２枚のパウチフィルム４の間に挟み込んで熱ラミネートした情報表示体１０であって、ＩＤ情報印刷部は、少なくとも一部がモアレパターン形成用画像と重なる様に備えられており、シート基材のＩＤ情報印刷部が形成された側にラミネートされたパウチフィルムの、少なくともモアレパターン形成用画像に対応する表面には、モアレを表示可能な万線パターン形成部２が備えられていることを特徴とする情報表示体。【選択図】図１
2020124858.tif 000002
【特許請求の範囲】
【請求項１】
モアレパターン形成用画像を備えたシート基材を２枚のパウチフィルムの間に挟み込んで熱ラミネートした情報表示体であって、
シート基材がラミネートされたパウチフィルムの、少なくともモアレパターン形成用画像に対応する表面には、前記モアレパターン形成用画像にモアレを表示可能な万線パターン形成部が備えられていることを特徴とする情報表示体。
【請求項２】
前記万線パターン形成部が、前記パウチフィルム上の印刷物または前記モアレパターン形成用画像を拡大表示可能な万線パターンを有する転写箔またはパッチフィルムであることを特徴とする請求項１に記載の情報表示体。
【請求項３】
モアレパターン形成用画像を備えたシート基材を２枚のパウチフィルムの間に挟み込んで熱ラミネートした情報表示体であって、
シート基材がラミネートされたパウチフィルムの、少なくともモアレパターン形成用画像が形成された部位に対応する表面には、前記モアレパターン形成用画像と同じまたは異なるモアレパターン形成用画像が備えられており、且つ前記パウチフィルムの一部または全面に、前記モアレパターン形成用画像を拡大表示可能な万線パターン形成部を有する転写箔またはパッチフィルムが備えられていることを特徴とする情報表示体。
【請求項４】
前記万線パターン形成部が金属蒸着層のエッチング加工により形成されていることを特徴とする請求項１乃至３のいずれか記載の情報表示体。
【請求項５】
前記モアレパターン形成用画像の少なくとも一種類が、顔料インクリボンを熱転写した印刷ドットから形成されていることを特徴とする請求項１乃至４のいずれか記載の情報表示体。
【発明の詳細な説明】
【技術分野】
【０００１】
本発明は、ＩＤカードやパスポートなどの顔写真を有する認証媒体の偽造防止性能を高めた情報表示体に関する。
【背景技術】
【０００２】
ＩＤカードやパスポートなどの顔写真を有する認証媒体の偽造防止性を高める技術としては、それらの媒体にホログラムや光学的変化インキを使用するものがあった。
【０００３】
しかしながら、ホログラムや光学的変化インキなどは高価であるため、大量に使用する用途にはコストがかかる問題があった。
【０００４】
その様な問題を解決する技術として、例えば特許文献１に開示されている技術がある。この技術は、基材上に、基材の色とは異なるｎ（整数）色の複数の第１の画線と、その第１の画線が描かれた領域に備えられた、所定の厚さの透明または半透明の層と、その層の上に第１の画線に対応して形成された、複数の第２および第３の画線と、が備えられている。それらの第２と第３の画線の線幅を異ならせる事によって、第２の画線によりイメージが形成されており、第３の画線により背景が形成された画像形成体である。
【０００５】
この画像形成体を真上から観察した場合、第２および第３の画線のいずれか一方または両方の画線が、第１の画線と重なる様に形成されている。
【０００６】
この画像形成体は、第１の画線と、それが成形された領域に透明または半透明な層を備え、更にその上に形成された第２および第３の画線からなる画線の一部を遮蔽することができる程度の濃度を持ったインキなどの材料で被覆されている。
【０００７】
この事により、真上から観察した時は第１の画線の一部が観察でき、観察角度を変えると、遮蔽される第１の画線が変わる。その事により、第１の画線が色の配色である場合は、色の変化が現れる。また画線が破線や点線、または網点などにより形成された図形である場合は、画像が変化する、所謂、チェンジング効果を備えた偽造防止媒体となる。
【０００８】
この技術により、高価なホログラムや光学的変化インキを使用せずに、偽造防止性を付与させる事が可能である。
【０００９】
しかしながら、ＩＤカード分野においては、更なる低コスト化のため、顔写真などのＩＤ情報を印刷した用紙をパウチフィルムで挟み込み、熱ラミネートして作製したラミネートカードがＩＤカードとして使用される様になっている。この様なラミネートカードタイプのＩＤカードは低コストであり、業者に製造依頼する事無く、即時に作製可能であるメリットを有する反面、偽造が容易であるというデメリットがある。
【先行技術文献】
【特許文献】
【００１０】
【特許文献１】特開第４３１４３８７号公報
【発明の概要】
【発明が解決しようとする課題】
【００１１】
上記の事情に鑑み、本発明は、偽造防止性を備えたラミネートカードタイプの情報表示体を提供することを課題とする。
【課題を解決するための手段】
【００１２】
上記の課題を解決する手段として、本発明の請求項１に記載の発明は、モアレパターン形成用画像を備えたシート基材を２枚のパウチフィルムの間に挟み込んで熱ラミネートした情報表示体であって、
シート基材がラミネートされたパウチフィルムの、少なくともモアレパターン形成用画像に対応する表面には、前記モアレパターン形成用画像にモアレを表示可能な万線パターン形成部が備えられていることを特徴とする情報表示体
である。
【００１３】
また、請求項２に記載の発明は、前記万線パターン形成部が、前記パウチフィルム上の印刷物または前記モアレパターン形成用画像を拡大表示可能な万線パターン形成部を有する転写箔またはパッチフィルムであることを特徴とする情報表示体である。
【００１４】
また、請求項３に記載の発明は、モアレパターン形成用画像を備えたシート基材を２枚のパウチフィルムの間に挟み込んで熱ラミネートした情報表示体であって、
シート基材がラミネートされたパウチフィルムの、少なくともモアレパターン形成用画像が形成された部位に対応する表面には、前記モアレパターン形成用画像と同じまたは異なるモアレパターン形成用画像が備えられており、且つ前記パウチフィルムの一部または全面に、前記モアレパターン形成用画像を拡大表示可能な万線パターンを有する転写箔またはパッチフィルムが備えられていることを特徴とする情報表示体
である。
【００１５】
また、請求項４に記載の発明は、前記万線パターン形成部が金属蒸着層のエッチング加工により形成されていることを特徴とする請求項１乃至３のいずれか記載の情報表示体である。
【００１６】
また、請求項５に記載の発明は、前記モアレパターン形成用画像の少なくとも一種類が、顔料インクリボンを熱転写した印刷ドットから形成されていることを特徴とする請求項１乃至４のいずれか記載の情報表示体である。
【発明の効果】
【００１７】
本発明の情報表示体は、ＩＤ情報印刷部が備えられた側にラミネートされたパウチフィルムの表面にモアレを生じる万線パターン形成部が備えられている。そのため、ラミネートされたパウチフィルムを剥がして、ＩＤ情報が印刷されたシート基材を取り出すことにより顔画像を変造する事は可能であるが、単に２枚の新しいパウチフィルムに挟み込んで熱ラミネートすることにより情報表示体を作製しても、パウチフィルムにモアレを生じる万線パターン形成部が備えていないため、モアレパターン形成用画像を拡大表示することや、チェンジング、レインボーモアレなどの光学的な効果を発揮することができない。このことにより、真贋判定可能となる。
【図面の簡単な説明】
【００１８】
【図１】本発明の情報表示体の一例を示す説明図であって、（ａ）は上面図、（ｂ）は断面図である。
【図２】本発明の情報表示体の一例を示す断面図。
【図３】モアレパターン形成用画像の一例を示す説明図であって、（ａ）は表示する画像となる高さＨの文字列、（ｂ）は（ａ）の文字列の高さをｈに縮小した画像、（ｃ）は（ｂ）の画像をマトリクス状に配置したモアレパターン形成用画像の例、をそれぞれ示している
【発明を実施するための形態】
【００１９】
本発明の情報表示体の実施形態について、図１〜図３を使用して説明する。
【００２０】
＜第１の実施形態＞
本発明の情報表示体の第１の実施形態について、図１を使用して説明する。
図１（ａ）は、本発明の情報表示体１０の上面図の例を示したものである。図１（ｂ）は、図１（ａ）における情報表示体１０を切断線Ａ−Ａ´にて切断した場合の概略断面図を示したものである。
【００２１】
本発明の情報表示体１０は、文字と図形と顔画像のいずれか１以上を含むＩＤ情報印刷部３と、モアレパターン形成用画像１と、を備えたシート基材５を２枚のパウチフィルム４の間に挟み込んで熱ラミネートした情報表示体である。
【００２２】
本発明の情報表示体１０において、ＩＤ情報印刷部３は、少なくともその一部が、モアレパターン形成用画像１と重なる様に備えられている。この様に重ねることにより、完成した情報表示体１０において、ＩＤ情報印刷部３の一部に、シート基材５上に印刷された画像が拡大されたモアレパターンを表示することに加え、チェンジングやレインボーモアレなどの光学的な機能を発揮することが可能となる。
【００２３】
また、シート基材５のＩＤ情報印刷部３が形成された側にラミネートされたパウチフィルム４の、少なくともモアレパターン形成用画像１に対応する表面には、前記モアレパターン形成用画像１を拡大表示するなどのモアレを表示可能な万線パターン形成部２が備えられている事が特徴である。
万線パターン形成部２を作製する方法は特に限定されない。万線が形成されていれば、形成手段は如何なるものであっても構わない。
【００２４】
以上に説明した様な構成としておくことによって、本発明の情報表示体１０は、モアレパターン形成用画像１と万線パターン形成部２によって、情報表示体１０を見る角度によって、異なる画像を表示可能なチェンジングが可能となる。また、シート基材５上に印刷された画像が拡大したモアレパターンが表示される。例えば、拡大したモアレパターンの一部を、顔写真の近傍に表示することも可能である。
【００２５】
その為、文字情報、図形、顔写真が印刷されたシート基材５を取り出す事ができた場合であっても、パウチフィルム４に万線パターン形成部２が備えられていない場合は、拡大したモアレパターンが表示されないため、真贋判定を容易に行う事ができる。
【００２６】
（シート基材）
シート基材５は特に限定されるものではないが、パスポートなどの冊子類やＩＤカードなどのカード類などに用いられる公知の素材を用いる事ができる。例えば、紙類をはじめとして、ポリ塩化ビニル樹脂などのビニル系樹脂、ポリカーボネート樹脂、ポリプロピレンなどのポリオレフィン系樹脂、ポリエチレンテレフタレートなどのポリエステル系樹脂、ポリ乳酸などの生分解性樹脂、アクリロニトリル−ブタジエン−スチレン共重合樹脂、（メタ）アクリル系樹脂などのプラスチック材料を例示できるが、これらに限定する必要は無い。
【００２７】
（パウチフィルム）
パウチフィルム４は、ラミネート加工に使用可能な樹脂フィルムであれば特に限定する必要は無く、ラミネート加工用に市販されているラミネート加工用フィルムを好適に使用することができる。例えば、熱ラミネートを行う場合は、ＰＥＴ（ポリエチレンテレフタレート）フィルムの片面に、ＰＥＴより低融点のポリエチレン系樹脂層を形成したフィルムを挙げることができる。また、ＰＥＴ／エチレン酢酸ビニル共重合体（ＥＶＡ、Ｅｔｈｙｌｅｎｅ  Ｖｉｎｙｌ  Ａｃｅｔａｔｅ  ｃｏｐｏｌｙｍｅｒ）、ＰＥＴ／低密度ポリエチレン（ＬＤＰＥ）／ＥＶＡの様な層構成のパウチフィルムなどを例示することができる。
【００２８】
（モアレパターン形成用画像）
モアレパターン形成用画像１は、特に限定するものではないが、例えば図３に例示したような画像とする事ができる。それは、まず図３（ａ）に示した様な拡大したモアレ画像として表示したい画像を作成する。ここでは高さＨの横並びの文字画像とした。次に、図３（ｂ）に示した様に、この横並びの文字の高さをｈ（ｈ／Ｈ＜１）に縮小した文字画像を作成する。次に、図３（ｂ）で作成した文字画像を、縦方向と横方向に繰り返した画像を作成した。この様に、元の画像を縦方向または横方向に縮小し、それを縦方向と横方向に繰り返し配置した画像をモアレパターン形成用画像として用いる事ができる。
【００２９】
図３（ｃ）の様に、縮小した文字画像を縦方向と横方向に繰り返した画像は、肉眼では文字としては認識することができないが、万線パターンと重ね合わせる事によって、拡大したモアレパターンとして表示させる事が可能となるため、肉眼で確認することが可能となる。
【００３０】
モアレパターン形成用画像１は、その画像を構成する要素の少なくとも一種類が、顔料インクリボンを熱転写した印刷ドットから形成されていることであっても良い。
【００３１】
（万線パターン形成部）
万線パターン形成部２は、パウチフィルム４上に、規則的に並んだ平行線の集まりである万線パターンを形成した部分を指す。本実施形態においては、万線パターン形成部２は、各種の印刷技術を使用して、パウチフィルム４上に万線パターンを印刷した構成であっても良いし、その他のものであっても良い。
万線パターン形成部２の万線は、例えば、アルミニウムなどの金属蒸着層のエッチング加工により形成されているものであっても良い。
【００３２】
（ＩＤ情報印刷部）
ＩＤ情報印刷部３は、シート基材５上のＩＤ情報が印刷された部分を指している。印刷の方法は特に限定されない。例えば、インクジェット印刷をはじめ、Ｘｅｒｏｇｒａｐｈｙや電子写真技術に基づく複合機などを使用した印刷、スクリーン印刷や各種のオフセット印刷などの印刷技術を使用して、文字、図形、顔写真などのＩＤ情報をシート基材５上に印刷することができる。
【００３３】
＜第２の実施形態＞
次に、本発明の情報表示体の第２の実施形態について、図２（ａ）を使用して説明する。
本発明の情報表示体の第２の実施形態は、第１の実施形態における万線パターン形成部２を、印刷により形成するのではなく、万線パターンを有する転写箔またはパッチフィルム７を一部に貼着した構成である。
【００３４】
この様な構成とすることにより、万線パターン形成部２が、パウチフィルム４に印刷により形成する場合と比較して、生産効率を向上することが可能である。即ち、シート基材５を２枚のパウチフィルム４に挟み込んで熱ラミネートする事によって作製した情報表示体の良品に、別途作製した万線パターンを有する転写箔またはパッチフィルム７の良品を、貼着することで情報表示体１０´を作製するためである。
【００３５】
＜第３の実施形態＞
次に、本発明の情報表示体の第３の実施形態について、図２（ｃ）を使用して説明する。
本発明の情報表示体の第３の実施形態は、第２の実施形態において、パウチフィルム４の一部または全面に、モアレパターン形成用画像１を拡大表示可能な万線パターンを有す
る転写箔またはパッチフィルム７が備えられていることに加えて、パウチフィルム４の、少なくともＩＤ情報印刷部３が形成された部位に対応する表面には、モアレパターン形成用画像１と同じまたは異なるモアレパターン形成用画像６が備えられている構成である。
【００３６】
本実施形態の情報表示体１０´´には、シート基材５上のモアレパターン形成用画像１とシート基材５の印刷面側のパウチフィルム４上のモアレパターン形成用画像６の２箇所にモアレパターン形成用画像が備えられている。
【００３７】
モアレパターン形成用画像１、６には、万線パターンを有する転写箔またはパッチフィルム７が備えられているため、２箇所の拡大したモアレパターンが表示される。
【００３８】
モアレパターン形成用画像１と万線パターンを有する転写箔またはパッチフィルム７により、拡大したモアレパターンが表示されるのに加え、チェンジングと同様に、傾けて観察することによりムービング表現が可能となる。
【００３９】
一方、モアレパターン形成用画像６と万線パターンを有する転写箔またはパッチフィルム７により、拡大したモアレパターンが表示される。万線パターンとモアレパターン形成用画像６の距離が短すぎるため、ムービングは生じ難い。万線パターンが転写箔に形成されている場合は、前記距離が非常に小さいため、ムービングは生じない。また万線パターンがパッチフィルム７に形成されている場合は、前記距離を転写箔の場合と比べて大きくする事ができるが、モアレパターン形成用画像１との距離よりは必ず小さいため、ムービングの量は、モアレパターン形成用画像１の場合と比べて小さくなる。即ち、この場合、ムービングの量が異なる２種類の拡大したモアレパターンを表示することができる。
【実施例】
【００４０】
次に、本発明の情報表示体について実施例を用いて更に詳しく説明する。
【００４１】
＜実施例１＞
１．万線パターンを有する転写箔の作製
アルミニウム薄膜を反射層として使用したディメタライズドホログラム転写箔と同様の作製方法によって万線パターンを有する転写箔を作製した。
【００４２】
まず、厚さ１９μｍのＰＥＴ（ポリエチレンテレフタレート）フィルムを転写箔基材として使用し、その表面に剥離層を形成した。その剥離層上にスパッタ装置を用いてアルミニウム薄膜層（５０ｎｍ）を形成した。剥離層としては、熱可塑性ポリアクリル酸エステル樹脂層を1μｍの厚さで形成した。
【００４３】
次に、グラビア印刷機を使用して、作製する万線パターンと逆のパターンを持つエッチングマスクを形成し、アルカリ溶液に浸漬することにより、露出しているアルミニウム薄膜層をエッチング除去することにより万線パターン（線幅２３０μｍ、スペース１００μｍ）を形成した。
【００４４】
次に、エッチングマスクを含む全面に接着層（厚さ１０μｍ）を形成した。なお、接着層は、塩化酢酸ビニル樹脂を主成分とした感熱接着剤である。必要に応じて、剥離性を備えた保護フィルムを接着層に積層することにより、万線パターンを有する転写箔を得た。
【００４５】
２．シート基材へのモアレパターン形成用画像の印刷
シート基材として、上質紙を用い、カラーのトナープリンタでＩＤ情報（顔写真など）と、モアレパターン形成用画像を印刷した。モアレパターン形成用画像としては、ＩＤ情報の氏名を大文字のアルファベットで表記したものを使用した。
【００４６】
モアレパターン形成用画像は、図３（ａ）に示した文字（ＡＢＣ）を使用した。これらの文字の高さは２．６ｍｍ）とした。
【００４７】
次に、この文字の高さを０．３８ｍｍに圧縮した画像を形成した（図３（ｂ））。次に、この文字（ＡＢＣ）の並び方向と直交する方向に４行並べた画像を作成し、更にその画像を、文字（ＡＢＣ）の並び方向にもう１列形成した画像を作成した（図３（ｃ））。以上の様にしてモアレパターン形成用画像を得た。
次に、モアレパターン形成用画像が形成されていない領域と形成されている一部の領域に跨って、ＩＤ情報である顔写真を印刷した。この様にする事で、モアレパターン形成用画像と顔写真の一部が重なって形成される。
この様にして、モアレパターン形成用画像とＩＤ情報である顔写真が印刷された上質紙（シート基材）を得た。
【００４８】
３．パウチフィルムへのモアレパターン形成用画像の印刷
シート基材に印刷したモアレパターン形成用画像と同様の方法により作成した図形（ロゴマーク）についてのモアレパターン形成用画像を、万線パターンのスペースと同じ厚さ１００μｍのパウチフィルムの表面にスクリーン印刷により印刷した。パウチフィルムは、
コクヨ社製の「パウチフィルム  ＭＳＰ−Ｆ２２０３０７Ｎ」を使用した。
【００４９】
４．パウチフィルムによるシート基材のラミネート
次に、上記で得たモアレパターン形成用画像と顔写真が印刷されたシート基材を、２枚のパウチフィルムに挟み込んで、熱ラミネータの２本の熱ローラに通す事によりラミネートした。この様にしてラミネートカード化した物品を得た。
【００５０】
５．万線パターンの転写
次に、上記で得たラミネートカード化した物品の印刷面のモアレパターン形成用画像と顔写真に対応するパウチフィルムの表面に、万線パターンを有する転写箔を転写した。
【００５１】
以上の様にしてＩＤカード（情報表示体）を作製した。このＩＤカードは、シート基材上に印刷された顔写真や生年月日などのＩＤ情報がそのまま表示されている他、モアレパターン形成用画像として印刷された大文字のアルファベットで表記した氏名が拡大したモアレパターンとして視認された。また、パウチフィルム上に印刷されたロゴマークの図形も、拡大したモアレパターンとして視認された。
【符号の説明】
【００５２】
１・・・モアレパターン形成用画像
２・・・万線パターン形成部
３・・・ＩＤ情報印刷部
４・・・パウチシート
５・・・シート基材
６・・・モアレパターン形成用画像
７・・・万線パターンを有する転写箔またはパッチフィルム
１０、１０´、１０´´・・・情報表示体
【図１】
2020124858.tif 000003
【図２】
2020124858.tif 000004
【図３】
2020124858.tif 000005